(57)【要約】      （修正有）【課題】珪藻土を使用し、衝撃により損傷を受けるおそれが低減されていると共に、足で踏んだときの感触がよく、周囲が汚れる懸念がないバスマットを提供する。【解決手段】バスマット１は、珪藻土の粉末１０が収容された袋体２０と、カバー体３０とからなる。珪藻土の粉末１０が、粉末の粒子径より繊維間の空隙が小さいと共に透水性を有している布地で形成された袋体２０に収容されている。更に、透水性を有する布地で、開口を有する袋状または筒状に形成されており、開口を介して袋体２０を収容するカバー体３０を具備する。【選択図】図２
0003231378.tif 000002
【実用新案登録請求の範囲】
【請求項１】
珪藻土の粉末が、該粉末の粒子径より繊維間の空隙が小さいと共に透水性を有している布地で形成された袋体に収容されている
ことを特徴とするバスマット。
【請求項２】
透水性を有する布地で、開口を有する袋状または筒状に形成されており、前記開口を介して前記袋体を収容するカバー体を具備する
ことを特徴とする請求項１に記載のバスマット。
【請求項３】
前記カバー体を構成する布地は、前記袋体を構成する布地より透水性が高い
ことを特徴とする請求項１または請求項２に記載のバスマット。
【考案の詳細な説明】
【技術分野】
【０００１】
本考案は、珪藻土を使用したバスマットに関するものである。
【背景技術】
【０００２】
珪藻土は、珪藻の遺骸に粘土などが混合した堆積物である。珪藻は単細胞藻類であり水中で増殖するが、海や湖などの底に沈殿した遺骸のうち有機成分（原形質）は分解されて、殻（細胞壁）のみが珪酸化されて残り、灰白色から白色の粗い泥状の堆積物となる。
【０００３】
珪藻土に含まれる殻は多孔質であるため、吸水性に優れており、この吸水性を利用して、従前より珪藻土を使用した板状の足拭きマット、バスマットが提案されている（例えば、特許文献１，２参照）。特許文献１の足拭きマットは、珪藻土を含む材料にセメント、石膏等の水硬性材料を配合し、板状に成形した後で水硬性材料を硬化させることにより、板状のマットとしている。特許文献２のバスマットは、珪藻土に粘土を加えて混錬した後、板状に成形して乾燥させ、焼成することにより板状のマットとしている。
【０００４】
しかしながら、このように珪藻土を板状としたマットは、衝撃を受けると割れたり欠けたりする、足で踏んだときの感触が硬く冷たい、摩擦により粉状に剥離して周囲が汚れる、という問題があった。
【先行技術文献】
【特許文献】
【０００５】
【特許文献１】特開２００６−３４７９７号公報
【特許文献２】実用新案登録第３２１４１４１号公報
【考案の概要】
【考案が解決しようとする課題】
【０００６】
そこで、本考案は、上記実情に鑑み、珪藻土を使用したバスマットであって、衝撃により損傷を受けるおそれが低減されていると共に、足で踏んだときの感触がよく、周囲が汚れる懸念がないバスマットの提供を課題とする。
【課題を解決するための手段】
【０００７】
上記課題を解決するため、本考案にかかるバスマットは、
「珪藻土の粉末が、該粉末の粒子径より繊維間の空隙が小さいと共に透水性を有している布地で形成された袋体に収容されている」ものである。
【０００８】
本考案のバスマットでは、珪藻土を板状ではなく、粉末の状態で使用する。珪藻土の粉末は袋体に収容されているが、この袋体は、繊維間の空隙が珪藻土の粉末の粒子径より小さい布地で形成されているため、珪藻土の粉末が袋体から漏れ出ることはない。そして、袋体を構成する布地は透水性を有している。そのため、入浴後の足に付着した水や身体から滴る水は、袋体を透過して珪藻土の粉末に吸水される。
【０００９】
このように、粉末である珪藻土が布地で形成された袋体に収容されている本構成のバスマットは、従来の珪藻土を板状に成形したバスマットとは異なり、衝撃を受けても割れたり欠けたりするおそれがない。また、珪藻土の粉末が布地で形成された袋体に収容されているため、足で踏んだときに接触するのは布地であり、柔らかい踏み心地であると共に、冷たさを感じることがない。加えて、粉末を収容した袋体は、外力を受けて容易に変形するため、このことからも踏み心地に硬さを感じることがない。更に、珪藻土の粉末が袋体から漏れ出ることがないため、周囲が汚れる懸念もない。
【００１０】
本考案にかかるバスマットは、上記構成に加え、
「透水性を有する布地で、開口を有する袋状または筒状に形成されており、前記開口を介して前記袋体を収容するカバー体を具備する」ものとすることができる。
【００１１】
本構成では、珪藻土の粉末を収容した袋体が、更に布地で形成されたカバー体に収容される。つまり、布地で形成された袋体を、更に布地で形成されたカバー体で被覆するため、踏み心地がより柔らかいものとなる。カバー体は、袋体と同様に透水性を有する布地で形成されているため、袋体に収容された珪藻土の粉末に水分を吸収させる作用を、妨げることがない。
【００１２】
加えて、カバー体は、開口を介して袋体を収容するものであるため、逆に、開口を介して袋体を取り出すことができる。そのため、カバー体で袋体を被覆した状態で使用し、使用後にカバー体を取り外して洗濯することができる。これにより、使用時に足裏に直接接するカバー体を、常に清潔に保つことができる。また、珪藻土の粉末に吸水させた後でバスマットを乾燥させる際は、カバー体を袋体から外しておけば、カバー体と袋体とで二重に珪藻土の粉末を被覆している場合に比べて、珪藻土の粉末から水分を放出させやすい。
【００１３】
本考案にかかるバスマットは、上記構成に加え、
「前記カバー体を構成する布地は、前記袋体を構成する布地より透水性が高い」ものとすることができる。
【００１４】
カバー体で袋体を被覆した状態でバスマットを使用する場合、珪藻土の粉末に水分を吸収させるためには、カバー体と袋体との双方を透過させる必要がある。袋体に対しては、透水性に加えて、内部に収容している珪藻土の粉末を漏出させない作用が求められるのに対し、カバー体にはその作用の要請はない。そのため、カバー体を構成する布地を、袋体を構成する布地より透水性が高いものとすることにより、換言すれば、カバー体を構成する布地における繊維間の空隙を、袋体を構成する布地よりも大きいものとすることにより、入浴後の足に付着した水や身体から滴る水を、より容易にカバー体を透過させることができ、更には袋体を透過させて珪藻土の粉末に吸収させることができる。
【考案の効果】
【００１５】
以上のように、本考案によれば、珪藻土を使用したバスマットであって、衝撃により損傷を受けるおそれが低減されていると共に、足で踏んだときの感触がよく、周囲が汚れる懸念がないバスマットを、提供することができる。
【図面の簡単な説明】
【００１６】
【図１】本考案の一実施形態であるバスマットの分解斜視図である。
【図２】図１のバスマットの断面図である。
【考案を実施するための形態】
【００１７】
以下、本考案の具体的な実施形態のバスマット１について、図１及び図２を用いて説明する。バスマット１は、珪藻土の粉末１０が収容された袋体２０と、カバー体３０とからなる。
【００１８】
珪藻土は、殻の多孔質性を生かすために、殻を粉砕しない程度に解砕して粉末とする。
【００１９】
袋体２０は、閉じた袋状に形成されており、その内部に珪藻土の粉末１０が収容されている。袋体２０は、織物、編物、及び不織布の何れかである第一布地で形成されている。第一布地は、繊維間の空隙が、珪藻土の粉末１０の粒子径より小さいものである。そのため、閉じた袋状である袋体２０に収容された珪藻土の粉末１０は、袋体２０から外部に漏れ出ることはない。また、第一布地は、透水性を有している。すなわち、第一布地における繊維間の空隙は、水が通過することができる大きさである。なお、第一布地を構成する繊維の原料は特に限定されず、綿、麻、絹、羊毛などの天然繊維、合成繊維、半合成繊維、再生繊維、これらのうちの二種以上の混合繊維とすることができる。
【００２０】
カバー体３０は、袋体２０より少し大きい袋状に形成されており、開口３５を有している。この開口３５を介して、カバー体３０の内部に袋体２０を収容することができる。カバー体３０は、織物、編物、及び不織布の何れかである第二布地で形成されている。第二布地は、繊維間の空隙が第一布地より大きく、第一布地より透水性が高い。なお、第一布地と同様に、第二布地を構成する繊維の原料は特に限定されず、綿、麻、絹、羊毛などの天然繊維、合成繊維、半合成繊維、再生繊維、これらのうちの二種以上の混合繊維とすることができる。
【００２１】
カバー体３０の開口３５は、線ファスナー３７で開閉することができる。なお、線ファスナー３７の代わりに、雌雄のホック、或いは、ボタンとボタン穴などにより開閉するものとすることができる。
【００２２】
バスマット１は、図２に示すように、カバー体３０に袋体２０を収容した状態で使用する。開口３５は、線ファスナー３７で開口３５を閉じておく。
【００２３】
袋体２０を構成している第一布地、及び、カバー体３０を構成している第二布地は、共に透水性を有しているため、入浴後の足に付着した水や身体から滴る水は、カバー体３０及び袋体２０を透過して、袋体２０の内部に浸入する。特に、第一布地は、透水性に加えて袋体２０から珪藻土の粉末１０を漏出させないことが要請されるのに対し、第二布地に対してはその要請がないため、繊維間の空隙の大きな布地を採用することにより、第二布地の透水性を高めることができる。これにより、珪藻土の粉末１０が袋体２０とカバー体３０とで二重に被覆されていても、袋体２０の内部まで容易に水分を到達させることができる。
【００２４】
袋体２０の内部には、多孔質で吸水性の高い殻を含む珪藻土の粉末１０が収容されているため、浸入した水分は速やかに吸収され、袋体２０やカバー体３０の表面は、さらっと乾いた状態となる。また、臭いの成分も水と共に袋体２０の内部に浸入し、多孔質の珪藻土の殻に吸着される。
【００２５】
足で踏んだときに接触するのは第二布地であり、更にその内部に第一布地の層があるため、柔らかい踏み心地であると共に、冷たさを感じることがない。加えて、粉末を収容した袋体２０は、外力を受けて容易に変形するため、このことからも踏み心地がソフトなものとなる。
【００２６】
カバー体３０は、袋体２０から取り外すことができるため、使用時に足裏に直接接するカバー体３０を洗濯することにより、常に清潔に保つことができる。なお、バスマット１一つ当たりカバー体３０を二つ以上備える構成とすれば、一つのカバー体３０を洗濯し、乾燥させている間であっても、他のカバー体３０に袋体２０を収容した状態でバスマット１を使用することができる。
【００２７】
また、珪藻土の粉末１０に吸水させた後でバスマット１を乾燥させる際は、カバー体３０を袋体２０から外しておけば、珪藻土の粉末１０から水分を放出させやすい。
【００２８】
以上のように、本実施形態のバスマット１によれば、珪藻土を板状に成形した従来のバスマット１とは異なり、柔らかい踏み心地で、冷たさを感じることがない。
【００２９】
また、珪藻土を板状に成形した従来のバスマット１とは異なり、割れたり欠けたりするおそれがなく、摩擦により剥離して周囲が汚れるおそれがないことに加え、足で踏んだときにガタツキによる音を発生することもない。
【００３０】
そして、珪藻土という自然界の産物を利用したバスマット１であるため、自然の素材を好む需要者に受け容れられやすいという利点を有している。
【００３１】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３２】
例えば、上記では、カバー体３０が開口３５を有する袋状である場合を例示したが、両端に開口を有する筒状とすることができる。
【符号の説明】
【００３３】
１  バスマット
１０  珪藻土の粉末
２０  袋体
３０  カバー体
３５  開口
【図１】
0003231378.tif 000003
【図２】
0003231378.tif 000004
【手続補正書】
【提出日】令和3年1月14日(2021.1.14)
【手続補正１】
【補正対象書類名】実用新案登録請求の範囲
【補正対象項目名】全文
【補正方法】変更
【補正の内容】
【実用新案登録請求の範囲】
【請求項１】
珪藻土の粉末が、該粉末の粒子径より繊維間の空隙が小さいと共に透水性を有している布地で形成された袋体に収容されている
ことを特徴とするバスマット。
【請求項２】
透水性を有する布地で、開口を有する袋状または筒状に形成されており、前記開口を介して前記袋体を収容するカバー体を具備する
ことを特徴とする請求項１に記載のバスマット。
【請求項３】
前記カバー体を構成する布地は、前記袋体を構成する布地より透水性が高い
ことを特徴とする請求項２に記載のバスマット。